(57)【要約】【課題】内反足を引き起こす傾向を矯正し、体重を支持する足部のバランスを保つことができる矯正中敷きと、該中敷きを用いた矯正靴を提供する。【解決手段】足裏の形に対応する第１シート６に、立方骨に対応する位置に配置されるサポータ３を突設し、足の外側縦足弓を支持して足部の姿勢を矯正することを特徴とする矯正中敷き又は、該中敷きを用いた矯正靴であって、前記サポータ３は、前記第１シート６から山状に隆起するように形成され、前記第１シート６の長手方向に沿って踵骨の前端に対応する位置から第４、第５中足骨の後端に対応する位置まで延伸し、立方骨に対応する中心位置が最も高くなっている稜線３１１を有し、且つ該稜線３１１によって外側に向いている外側面３１と、内側に向いていて足の外側縦足弓を支持できる内斜面３２とに分けられていることが望ましい。【選択図】図１
2008029611.tif 000002
【特許請求の範囲】
【請求項１】
足裏の形に対応する第１シートに、立方骨に対応する位置に配置されるサポータを突設し、足部の外側縦足弓を支持して足部の姿勢を矯正することを特徴とする矯正中敷き。
【請求項２】
前記サポータは、前記第１シートから山状に隆起するように形成され、前記第１シートの長手方向に沿って踵骨の前端に対応する位置から第４、第５中足骨の後端に対応する位置まで延伸し、立方骨に対応する中心位置が最も高くなっている稜線を有し、且つ該稜線によって外側に向いている外側面と、内側に向いていて足の外側縦足弓を支持できる内斜面とに分けられていることを特徴とする請求項１に記載の矯正中敷き。
【請求項３】
前記サポータの前記内斜面は隆起する曲面で構成され、且つその内側には曲線状の周縁が形成されていることを特徴とする請求項２に記載の矯正中敷き。
【請求項４】
前記サポータの最大高さは１０ｍｍ〜２２ｍｍであり、最大幅は１３ｍｍ〜２５ｍｍであり、前記内斜面の勾配の角度は１５°〜５０°であることを特徴とする請求項３に記載の矯正中敷き。
【請求項５】
前記サポータの最大高さは１２ｍｍ〜１６ｍｍであり、最大幅は１６ｍｍ〜２０ｍｍであり、前記内斜面の勾配の角度は２５°〜３７°であることを特徴とする請求項４に記載の矯正中敷き。
【請求項６】
前記第１シートにおいて、前記サポータは硬質の樹脂材料からなり、前記サポータ以外の部分は軟質の樹脂材料からなることを特徴とする請求項１に記載の矯正中敷き。
【請求項７】
前記第１シートは、足裏の形に対応し、軟質の樹脂材料からなるシート体と、前記シート体の下方に接着される硬質の樹脂材料からなるプレート体とからなることを特徴とする請求項１に記載の矯正中敷き。
【請求項８】
前記サポータの外側のプレート体には複数のリブが所定の間隔をおいて設けられていることを特徴とする請求項７に記載の矯正中敷き。
【請求項９】
前記第１シートの表面を被覆布で覆うことを特徴とする請求項１に記載の矯正中敷き。
【請求項１０】
前記第１シートの上に載置され、中央足弓支持部と内側足弓支持部と外側足弓支持部が形成されてある第２シートを更に設け、該中央足弓支持部の前段は隆起する曲面で構成され、後段は凹陷する曲面で構成されており、また、前記外側足弓支持部は前記第１シートの前記サポータの上方に載置されていることを特徴とする請求項１に記載の矯正中敷き。
【請求項１１】
前記第２シートと前記第１シートを取外し可能に結合させる結合手段をさらに有していることを特徴とする請求項１０に記載の矯正中敷き。
【請求項１２】
サポータが立方骨に対応する位置に突設され、且つ足裏の形に対応する第１シートと、前記第１シートの上に載置され、且つ、中央足弓支持部と内側足弓支持部と外側足弓支持部が形成されてあり、該中央足弓支持部の前段は隆起する曲面で構成され、後段は凹陷する曲面で構成されてなる第２シートとからなり、前記外側足弓支持部が前記第１シートの前記サポータより内側に位置し、足の外側縦足弓を支持して足部の姿勢を矯正する矯正中敷きがその靴底部の足裏に接触する面に配置されている矯正靴。
【請求項１３】
前記サポータは、前記第２シートの外側足弓支持部を支持するように形成され、前記第１シートの長手方向に沿って踵骨の前端に対応する位置から第４、第５中足骨の後端に対応する位置まで延伸し、立方骨に対応する中心位置が最も高くなっている稜線を有し、且つ該稜線によって外側に向いている外側面と、内側に向いていて足の外側縦足弓を支持できる内斜面とに分けられていることを特徴とする請求項１２に記載の矯正靴。
【発明の詳細な説明】
【技術分野】
【０００１】
本発明は、矯正中敷きと該矯正中敷きを用いた矯正靴に関し、特に、足部の外側縦足弓のバランス矯正が可能な矯正中敷きと該矯正中敷きを用いた矯正靴に関する。
【背景技術】
【０００２】
図１１及び図１２に示すように、人間の足は非常に複雑な構造をしている。例えば、正常な足が持つ三つの足弓（すなわち、中足骨９６１〜９６５の中足骨頭のあたりに形成されている横足弓９９と、足根骨９２が各中足骨９６１〜９６５と共に内側及び外側において縦に隆起してなる内側縦足弓９１及び外側縦足弓９７）は、足が環境及び地形の変化に順応して弾力性を持つように、地面から伝わってくる振動を吸収しながら、身体に対し適当な支持及び均衡を保っている。
【０００３】
しかし、足についての多数の研究の結果、先天的な足部異常でない人達でも、約４０パーセントの人しか、足がいわゆる「正常」でないことが判明しており、その他の人は、足の姿勢に各種の欠陥を持っている。足の姿勢の欠陥は、身体に負荷がかかったり、緊張状態時に身体に余分な力が入ったりした場合に身体的な支障を引き起こす原因となり、人々に不快感を与える上、足、足首、膝または腰部の痛みをしばしば招き、更に悪化すると、様々な病状を引き起こす危険性がある。従って、このような足の姿勢の欠陥を矯正するために、例えば、米国特許３５４３７６５号公報には、偏平足を矯正する靴の中敷きが開示されている（特許文献１）。
【０００４】
現在、足の姿勢を矯正する靴の中敷きのほとんどは、内側縦足弓の欠陥、つまり偏平足や外反足を矯正するためのものである。偏平足でない人々の足の踵骨９２の多くが、図１３に示すように内反しやすいため、足の外側で全身の重量を支えなければならず、外側の縦足弓に負荷が偏ってかかり過ぎてしまうという問題がある。このため、前記のような足の姿勢を矯正する靴の中敷きの構成では、内反足の発生を予防することがそもそも考慮されていない。
【０００５】
内反足を引き起こすと、踵骨９２の内側と距骨９３との距離が縮まって脛骨９０１が傾き、これにより、図１４に示すように、膝関節において、脛骨９０１と股骨９０２の間にある内側半月板９０３の磨耗につながり、更に悪化すれば変形性関節症やアキレス腱炎、あるいは骨棘の発生原因にもなる。
【０００６】
また、本発明者は、米国特許３５４３７６５号公報に開示された靴の中敷きの使用状況を観察したところ、該中敷きは確かに偏平足を矯正する効果があるが、長期的に使用すると、やはり足の外側に使用者の全身の重量がかかって負荷が偏り、内反足を引き起こす傾向が見られることが判明した。
【特許文献１】米国特許３５４３７６５号公報
【発明の開示】
【発明が解決しようとする課題】
【０００７】
上記問題点に鑑みて、本発明は、上記内反足を引き起こす傾向を矯正し、体重を支持する足部のバランスを保つことができる矯正中敷きと、該中敷きを用いた矯正靴を提供することを目的とする。
【課題を解決するための手段】
【０００８】
上記目的を達成するために、本発明は、足裏の形に対応する第１シートに、立方骨に対応する位置に配置されるサポータを突設し、足部の外側縦足弓を支持して足部の姿勢を矯正することを特徴とする矯正中敷きを提供する。
【０００９】
前記サポータは、前記第１シートから山状に隆起するように形成され、前記第１シートの長手方向に沿って踵骨の前端に対応する位置から第４、第５中足骨の後端に対応する位置まで延伸し、立方骨に対応する中心位置が最も高くなっている稜線を有し、且つ該稜線によって外側に向いている外側面と、内側に向いていて足の外側縦足弓を支持できる内斜面とに分けられていることが望ましい。
【００１０】
前記サポータの前記内斜面は隆起する曲面で構成され、且つその内側には曲線状の周縁が形成されていることが望ましい。
【００１１】
前記サポータの最大高さは１０ｍｍ〜２２ｍｍであり、最大幅は１３ｍｍ〜２５ｍｍであり、前記内斜面の勾配の角度は１５°〜５０°であることが望ましい。
【００１２】
前記サポータの最大高さは１２ｍｍ〜１６ｍｍであり、最大幅は１６ｍｍ〜２０ｍｍであり、前記内斜面の勾配の角度は２５°〜３７°であるとより好ましい。
【００１３】
前記第１シートにおいて、前記サポータは硬質の樹脂材料からなり、前記サポータ以外の部分は軟質の樹脂材料からなることが望ましい。
【００１４】
また、本発明の矯正中敷きにおいて、第１シートは、足裏の形に対応し、軟質の樹脂材料からなるシート体と、前記シート体の下方に接着される硬質の樹脂材料からなるプレート体とからなることもできる。
【００１５】
前記サポータの外側のプレート体には、複数のリブが所定の間隔をおいて設けられていることが望ましい。
【００１６】
前記第１シートの表面を被覆布で覆うことが望ましい。
【００１７】
前記第１シートの上に載置され、中央足弓支持部と内側足弓支持部と外側足弓支持部が形成されてある第２シートを更に有し、該中央足弓支持部の前段は隆起する曲面で構成され、後段は凹陷する曲面で構成されており、また、前記外側足弓支持部は前記第１シートの前記サポータの上方に載置されることが望ましい。
【００１８】
前記第２シートと前記第１シートを取外し可能に結合させる結合手段をさらに有しているのが望ましい。
【００１９】
更に、本発明は、サポータが立方骨に対応する位置に突設され、且つ足裏の形に対応する第１シートと、前記第１シートの上に載置され、中央足弓支持部と内側足弓支持部と外側足弓支持部が形成されてあり、該中央足弓支持部の前段は隆起する曲面で構成され、後段は凹陷する曲面で構成されてなる第２シートとからなり、前記外側足弓支持部が前記第１シートの前記サポータより内側に位置し、足の外側縦足弓を支持して足部の姿勢を矯正する矯正中敷きがその靴底部の足裏に接触する面に配置されている矯正靴を提供する。
【００２０】
本発明の矯正靴において、前記サポータは、前記第２シートの外側足弓支持部を支持するように形成され、前記第１シートの長手方向に沿って踵骨の前端に対応する位置から第４、第５中足骨の後端に対応する位置まで延伸し、立方骨に対応する中心位置が最も高くなっている稜線を有し、且つ該稜線によって外側に向いている外側面と、内側に向いていて足の外側縦足弓を支持できる内斜面とに分けられていることが好ましい。
【発明の効果】
【００２１】
上記構成によれば、足の外側縦足弓に良好なサポートを提供することができる。これにより、内反足を引き起こす傾向を矯正し、体重を支持する足部のバランスを保つことができる矯正中敷き、及び該矯正中敷きを用いた矯正靴を提供することが可能となる。
【発明を実施するための最良の形態】
【００２２】
本発明の中敷き及び該中敷きを用いる靴の実施形態を説明する前に、まず、図１１を用いて足の骨格構造を説明する。図１１は下方から見た足部の構造図である。図示のように、踵骨９２の上部には距骨９３がある。前記距骨９３の前部には舟状骨９４が存在している。そして、この舟状骨９４の前部において右から左に第１、第２、第３楔状骨９５、立方骨９８がある。三つの楔状骨９５の前部には右から左に第１中足骨９６１、第２中足骨９６２、第３中足骨９６３、第４中足骨９６４及び第５中足骨９６５が存在している。これらの第１〜第５中足骨９６１〜９６５の前部には、それぞれ第１〜第５中足骨頭と称する部分がある。
【００２３】
また、図１１において曲線９９、曲線９１及び曲線９７はそれぞれ横足弓、内側縦足弓及び外側縦足弓の位置を示している。
【００２４】
本発明は足の骨格構造に対応し、外側縦足弓に良好な支持を提供し、足部の姿勢を矯正するものである。図１〜図４はそれぞれ本発明の第１実施形態の矯正中敷きの斜視図、平面図、横断面図、縦断面図を示している。図１及び図２を参照してみると、該矯正中敷きは足裏の形に対応する第１シート６に、立方骨に対応する位置に配置されるサポータ３を突設することによって、足の外側縦足弓を支持して足部の姿勢を矯正するものである。
【００２５】
サポータ３は、第１シート６から山状に隆起するように形成され、前記第１シートの長手方向に沿って踵骨の前端に対応する位置から第５中足骨の後端に対応する位置まで延伸している。サポータ３は、外側に向いている外側面３１及び内側に向いていて足の外側縦足弓を支持できる内斜面３２を有し、外側面３１と内斜面３２は稜線３１１により分けられている。稜線３１１は、立方骨に対応する中心位置が最も高くなっている。サポータ３の内斜面３２は隆起する曲面であり、その内側には、曲線状の周縁３２１が形成されている。
【００２６】
図３及び図４をも参照してみると、サポータ３の寸法については以下の通りである。その最大高さＤ、つまり立方骨に対応する中心位置の高さは１０ｍｍ〜２２ｍｍであり、１２ｍｍ〜１６ｍｍである方が好ましい。その最大幅Ｗは１３ｍｍ〜２５ｍｍであり、１６ｍｍ〜２０ｍｍである方が好ましい。内斜面３２の勾配の角度は１５°〜５０°であり、２５°〜３７°である方が好ましい。
【００２７】
本発明のサポータ３は硬質の樹脂材料からなり、第１シート６のサポータ３以外の部分は軟質の樹脂材料からなるが、本実施形態において、第１シート６は、足裏の形に対応し、地面からの衝撃を和らげるポリウレタンからなるシート体２と、ポリウレタンより少々硬質の熱可塑性ポリウレタンからなるサポータ３とにより接着してなったものである。
【００２８】
更に、図３に示すように、本実施形態において、シート体２の表面は被覆布２０により覆われており、第１シート６の表面全体、つまりサポータ３の表面をも含めて被覆布２０で覆うこともできる。被覆布２０は活性炭素繊維を混入した合成繊維からなり、滑らかな触感を有しながら、優れた吸汗、吸湿能力を持ち、更に活性炭素繊維の特性を生かして抗菌脱臭効果やマイナスイオン効果、遠赤外線放射効果、そして電磁波遮断効果を提供することができる。
【００２９】
図２及び３に示すように、使用者が使用するとき、足を第１シート６に置き、外側縦足弓はサポータ３の内斜面３２により完璧に支持されるので、踵骨が内反して内反足を引き起こす傾向が矯正され、足部より上方に位置する膝や股関節、そして脊柱の姿勢も正しい位置に調整することができ、立つときも座るときも体重を支持する足部のバランスを適切に保つことができる。
【００３０】
続いて、図５〜図７を用いて本発明の第２実施形態の矯正中敷きを説明する。図５〜図７はそれぞれ本発明の第２実施形態の矯正中敷きの斜視図、横断面図、縦断面図を示している。
【００３１】
図５及び図６を参照してみると、この第２実施形態の矯正中敷きの第１シート６Ａは足裏の形に対応し、ポリウレタンからなるシート体５１と、ポリウレタンよりやや硬質で、シート体５１の下方に接着される熱可塑性ポリウレタンからなるプレート体５２とからなるものである。第１シート６Ａは第１実施形態と同じく外側縦足弓を支持するサポータ３Ａを有しており、プレート体５２のサポータ３Ａに対応する位置の外側には複数のリブ５２２が所定の間隔をおいて設けられている。前記複数のリブ５２２によって、サポータ３Ａが持つ弾性を強化することができる。
【００３２】
図７を参照してみると、シート体５１の中段及び後段はプレート体５２により支持されるが、シート体５１の前段はプレート体５２の底部と同一の平面にあることは明らかである。この構成によって、本実施形態の矯正中敷きはバランスよく足部を支持することができる。
【００３３】
また、図６に示すように、サポータ３Ａの寸法は第１実施形態と同じく、隆起する曲面である内斜面を有し、その最大高さＤ２、つまり立方骨に対応する中心位置の高さは１０ｍｍ〜２２ｍｍであり、１２ｍｍ〜１６ｍｍである方が好ましい。その最大幅Ｗ２は１３ｍｍ〜２５ｍｍであり、１６ｍｍ〜２０ｍｍである方が好ましい。内斜面３２の勾配の角度は１５°〜５０°であり、２５°〜３７°である方が好ましい。
【００３４】
続いて、図８〜図９を用いて本発明の第３実施形態の矯正中敷きを説明する。図８、図９はそれぞれ本発明の第３実施形態の矯正中敷きの分解図及び横断面図を示している。
【００３５】
図８及び図９に示すように、本発明の第３実施形態の矯正中敷きは、第２実施形態における第１シート６Ａとほぼ同じ構成を有する第１シート６Ｂの上に、第２シート７を載置したものである。
【００３６】
第１シート６Ｂは、第２実施形態における第１シート６Ａとほぼ同じ構成を有する第１シート６Ｂの上面に第２シート７と結合するための第１の結合手段８１を更に設けて構成されたものである。
【００３７】
第２シート７は、上記米国特許３５４３７６５号公報に開示された内側縦足弓を支持する中敷きの構成を用いることができ、例えば１２±３％重量比の遠赤外線放射粉体を混入したビニルアセテートなどの弾性ゴム材により一体に構成することができ、中央足弓支持部７１と、内側足弓支持部７２と、外側足弓支持部７３が形成されている。該中央足弓支持部７１の前段７１１は隆起する曲面で構成され、その後段７１２は凹陷する曲面で構成されている。外側足弓支持部７３は、第１シート６Ｂのサポータ３Ｂより内側に位置する。また、第２シート７の第１シート６Ｂと接触する面に、第１シート６Ｂと結合するための第２の結合手段８２が設けられている。
【００３８】
第１の結合手段８１及び第２の結合手段８２は、第２シート７と第１シート６Ｂを取外し可能に結合させることができる。
【００３９】
また、第２シート７に遠赤外線放射粉体が混入されることによって、遠赤外線を放射して血液の循環を促進し、細胞を活性化する。
【００４０】
続いて、図１０を用いて本発明の第４実施形態の矯正靴を説明する。図１０は本発明の第４実施形態の矯正靴の横断面図を示している。
【００４１】
図１０に示すように、本発明の第４実施形態の矯正靴４は、その靴底部４１の足裏に接触する面に、第３実施形態の矯正中敷きを配置してなるものである。
【００４２】
つまり、矯正靴４は、サポータ３Ｂが立方骨に対応する位置に突設され、且つ足裏の形に対応する第１シート６Ｂと、第１シート６Ｂの上に載置され、且つ、中央足弓支持部７１と内側足弓支持部７２と外側足弓支持部７３が形成されてあり、該中央足弓支持部７１の前段７１１は隆起する曲面で構成され、後段７１２は凹陷する曲面で構成されている第２シート７とからなり、外側足弓支持部７３が第１シート６Ｂのサポータ３Ｂより内側に位置しており、足の外側縦足弓を支持して足部の姿勢を矯正する矯正中敷きを、その靴底部４１の足裏に接触する面に配置してなるものである。
【００４３】
また、矯正靴４に配置する矯正中敷きにおける第１シート６Ｂは、第３実施形態のものを採用せずに第１、第２実施形態における第１シート６，６Ａを採用することもできる。例えば、サポータ３を第１シート６Ｂの長手方向に沿って踵骨の前端に対応する位置から第５中足骨の後端に対応する位置まで延伸し、立方骨に対応する中心位置が最も高くなっている稜線を有し、且つ該稜線によって外側に向いている外側面と、内側に向いていて足の外側縦足弓を支持できる内斜面とに分けられ、且つ第２シート７の外側足弓支持部７３を支持するように構成することができる。
【００４４】
使用者がこのように構成された矯正靴を履くとき、足を第２シートの上に置き、外側縦足弓は外側足弓支持部により支持され、内側縦足弓は内側足弓支持部により支持され、横足弓も中央足弓支持部により支持されるので、踵骨が内反して内反足を引き起こす傾向を矯正するだけでなく、偏平足、外反足も矯正できるので、足部に完璧な支持を提供し、足部より上方に位置する膝や股関節、そして脊柱の姿勢も正しい位置に調整するので、立つときも座るときも体重を支持する足部のバランスを適切に保つことができる。
【００４５】
また、本実施形態の矯正靴の構成は、革靴、運動靴、サンダルなどあらゆる靴に応用することができる。
【産業上の利用可能性】
【００４６】
上記構成によれば、足の外側縦足弓に良好なサポートを提供できる。これにより、内反足を引き起こす傾向を矯正し、体重を支持する足部のバランスを保つことができる矯正中敷き、及び該矯正中敷きを用いた矯正靴を提供することができる。
【図面の簡単な説明】
【００４７】
【図１】本発明の第１実施形態の矯正中敷きの斜視図である。
【図２】本発明の第１実施形態の矯正中敷きの平面図である。
【図３】本発明の第１実施形態の矯正中敷きの横断面図である。
【図４】本発明の第１実施形態の矯正中敷きの縦断面図である。
【図５】本発明の第２実施形態の矯正中敷きの斜視図である。
【図６】本発明の第２実施形態の矯正中敷きの横断面図である。
【図７】本発明の第２実施形態の矯正中敷きの縦断面図である。
【図８】本発明の第３実施形態の矯正中敷きの分解図である。
【図９】本発明の第３実施形態の矯正中敷きの横断面図である。
【図１０】本発明の第４実施形態の矯正靴の横断面図である。
【図１１】足部の骨格構造を示す平面図である。
【図１２】足部の骨格構造を示す側面図である。
【図１３】後天性の内反足の傾向を示す説明図である。
【図１４】後天性の内反足の傾向が膝関節に対する影響を示す説明図である。
【符号の説明】
【００４８】
２  シート体
２０  被覆布
３、３Ａ、３Ｂ  サポータ
３１  外側面
３１１  稜線
３２  内斜面
３２１  周縁
４  矯正靴
４１  靴底部
５１  シート体
５２  プレート体
５２２  リブ
６、６Ａ、６Ｂ  第１シート
７  第２シート
７１  中央足弓支持部
７１１  中央足弓支持部前段
７１２  中央足弓支持部後段
７２  内側足弓支持部
７３  外側足弓支持部
８１  第１の結合手段
８２  第２の結合手段
９０１  脛骨
９０２  股骨
９０３  内側半月板
９１  内側縦足弓曲線
９２  踵骨
９３  距骨
９４  舟状骨
９５  第１、第２、第３楔状骨
９６１  第１中足骨
９６２  第２中足骨．
９６３  ．第３中足骨
９６４  第４中足骨
９６５  第５中足骨
９７  外側縦足弓曲線
９８  立方骨
９９  横足弓曲線
【図１】
2008029611.tif 000003
【図２】
2008029611.tif 000004
【図３】
2008029611.tif 000005
【図４】
2008029611.tif 000006
【図５】
2008029611.tif 000007
【図６】
2008029611.tif 000008
【図７】
2008029611.tif 000009
【図８】
2008029611.tif 000010
【図９】
2008029611.tif 000011
【図１０】
2008029611.tif 000012
【図１１】
2008029611.tif 000013
【図１２】
2008029611.tif 000014
【図１３】
2008029611.tif 000015
【図１４】
2008029611.tif 000016